(57)【要約】従来と比較して、光による通知の効果を低下させること無く、本体のうち外装パネルで覆われる部分において部品の実装面積を拡大することができる電子機器を提供する。  携帯電話機１０は、本体２０と、本体２０に着脱自在に取り付けられる外装パネル３０と、外装パネル３０を本体２０に固定する４本のネジ５０とを備え、本体２０は、ＬＥＤと、ＬＥＤによって光が照射される導光板２２ｃとを有し、導光板２２ｃは、外装パネル３０の側面３０ａから外装パネル３０の内部に入射する光を発する位置に配置される。【特許請求の範囲】
【請求項１】
発光部を有した本体と、前記本体に着脱自在に取り付けられる外装パネルとを備え、
前記発光部は、前記外装パネルの側面から前記外装パネルの内部に入射する光を発する位置に配置されたことを特徴とする電子機器。
【請求項２】
前記外装パネルは、前記発光部によって発せられて側面から内部に入射した光が進む経路上に傾斜面が形成されたことを特徴とする請求項１に記載の電子機器。
【請求項３】
前記外装パネルは、裏面側の少なくとも一部が光反射性であることを特徴とする請求項１に記載の電子機器。
【請求項４】
前記外装パネルは、表面側の一部が光遮蔽性であることを特徴とする請求項１に記載の電子機器。
【請求項５】
前記外装パネルは、表面側の光透過性の部分の少なくとも一部が有色であることを特徴とする請求項１に記載の電子機器。
【請求項６】
発光部を有した本体と、前記本体に着脱自在に取り付けられる第１の外装パネルと、前記第１の外装パネルの表面側に着脱自在に取り付けられる第２の外装パネルとを備え、
前記発光部は、前記第１の外装パネルの側面から前記第１の外装パネルの内部に入射する光を発する位置に配置され、
前記第１の外装パネルは、導光部材であることを特徴とする電子機器。
【発明の詳細な説明】
【技術分野】
【０００１】  本発明は、外装パネルを着脱自在な電子機器に関するものである。
【背景技術】
【０００２】  従来の電子機器として、着信があった場合に発光素子が点灯して光学的な着信表示を行う着信表示部を有した表示部本体と、表示部本体に交換可能に組み付けられて着信表示部を覆う化粧パネルとを備え、発光素子から出射された表示光が化粧パネル内に導光されて化粧パネルに形成された表示パターンが光輝する携帯電話機が知られている（例えば、特許文献１参照。）。【０００３】  また、表面が平面状の面発光部を有した上側筐体と、上側筐体の外側表面に面発光部を被覆するように装着されたパネル部材とを備え、面発光部から出射された光がパネル部材内に導光されてパネル部材のパターンの見え方を変える携帯電話機が知られている（例えば、特許文献２参照。）。【０００４】
【特許文献１】特開２００２−１２５０１６号公報（第６−７頁、第６−７図）
【特許文献２】特開２００４−８０３９０号公報（第５、９頁、第１−３、１４図）
【発明の開示】
【発明が解決しようとする課題】
【０００５】  しかしながら、前記従来の携帯電話機においては、面発光部により、パネル全体が光るので、着信時等において、利用者への通知を効果的に行える一方で、表示部本体や上側筐体のうち化粧パネルやパネル部材で覆われる部分に着信表示部や面発光部を設けているので、表示部本体や上側筐体のうち化粧パネルやパネル部材で覆われる部分に着信表示部や面発光部以外の部品を実装する面積が小さくなるという問題があった。【０００６】  本発明は、従来の問題を解決するためになされたもので、着信時等において、利用者への光による通知を効果的に行い、かつ、本体のうち外装パネルで覆われる部分において部品の実装面積を拡大することができる電子機器を提供することを目的とする。
【課題を解決するための手段】
【０００７】  本発明の電子機器は、発光部を有した本体と、前記本体に着脱自在に取り付けられる外装パネルとを備え、前記発光部は、前記外装パネルの側面から前記外装パネルの内部に入射する光を発する位置に配置された構成を有している。【０００８】  この構成により、本発明の電子機器は、発光部が発する光が外装パネルの側面から外装パネルの内部に入射する位置に発光部が配置されているので、従来と比較して、光による通知の効果を低下させること無く、本体のうち外装パネルで覆われる部分において部品の実装面積を拡大することができる。【０００９】  また、本発明の電子機器の前記外装パネルは、前記発光部によって発せられて側面から内部に入射した光が進む経路上に傾斜面が形成された構成を有している。【００１０】  この構成により、本発明の電子機器は、外装パネルの側面から外装パネルの内部に入射した光が外装パネルの傾斜面によって反射して外装パネルの外部に出射するので、外装パネルのうち傾斜面が形成された部分をより明るく光らせることができる。【００１１】  また、本発明の電子機器の前記外装パネルは、裏面側の少なくとも一部が光反射性である構成を有している。【００１２】  この構成により、本発明の電子機器は、外装パネルの側面から外装パネルの内部に入射した光が外装パネルの裏面側の光反射性の部分によって反射して外装パネルの外部に出射するので、外装パネルの表面をより明るく光らせることができる。【００１３】  また、本発明の電子機器の前記外装パネルは、表面側の一部が光遮蔽性である構成を有している。【００１４】  この構成により、本発明の電子機器は、外装パネルの内部から外装パネルの表面を透過して外装パネルの外部に出射する光が外装パネルの表面側の部分のうち光遮蔽性の部分以外の部分のみを透過するので、外装パネルの表面のうち特定の箇所を光らせることができる。【００１５】  また、本発明の電子機器の前記外装パネルは、表面側の光透過性の部分の少なくとも一部が有色である構成を有している。【００１６】  この構成により、本発明の電子機器は、外装パネルの内部から外装パネルの表面を透過して外装パネルの外部に出射する光の少なくとも一部が外装パネルの表面側の有色の光透過性の部分を透過するので、外装パネルの表面のうち少なくとも一部を有色に光らせることができる。【００１７】  また、本発明の電子機器は、発光部を有した本体と、前記本体に着脱自在に取り付けられる第１の外装パネルと、前記第１の外装パネルの表面側に着脱自在に取り付けられる第２の外装パネルとを備え、前記発光部は、前記第１の外装パネルの側面から前記第１の外装パネルの内部に入射する光を発する位置に配置され、前記第１の外装パネルは、導光部材である構成を有している。【００１８】  この構成により、本発明の電子機器は、発光部が発する光が第１の外装パネルの側面から第１の外装パネルの内部に入射する位置に発光部が配置されるので、従来と比較して、光による通知の効果を低下させること無く、本体のうち外装パネルで覆われる部分において部品の実装面積を拡大することができる。また、本発明の電子機器は、第１の外装パネルの側面から第１の外装パネルの内部に入射した光が第１の外装パネルによって導かれて第２の外装パネルの裏面から第２の外装パネルの内部に入射し第２の外装パネルの外部に出射するので、１枚の外装パネルのみを備えた場合と比較して、外装パネルの表面をより明るく光らせることができる。
【発明の効果】
【００１９】  本発明は、従来と比較して、光による通知の効果を低下させること無く、本体のうち外装パネルで覆われる部分において部品の実装面積を拡大することができる電子機器を提供することができるものである。
【図面の簡単な説明】
【００２０】
【図１】図１は、本発明の第１の実施の形態に係る携帯電話機の展開図である。
【図２】図２は、図１に示す携帯電話機の外観斜視図である。
【図３】図３は、図１に示す携帯電話機の本体の展開図である。
【図４】図４は、図１に示す携帯電話機の一部の側面断面図である。
【図５】図５は、表面に印刷が施された外装パネルを備えた図１に示す携帯電話機の一部の側面断面図である。
【図６】図６は、図４に示す例とは異なる例での図１に示す携帯電話機の一部の側面断面図である。
【図７】図７は、図１に示す例とは異なる例での本発明の第１の実施の形態に係る携帯電話機の一部の側面断面図である。
【図８】図８は、本発明の第２の実施の形態に係る携帯電話機の一部の側面断面図である。
【符号の説明】
【００２１】  １０  携帯電話機（電子機器）
２０  本体
２２ｃ  導光板（発光部）
２２ｅ  ＬＥＤ（発光部）
３０  外装パネル
３０ａ  側面
３０ｂ  表面
３０ｃ  裏面
３０ｈ、３０ｉ  傾斜面
６０  携帯電話機（電子機器）
７０  外装パネル（第１の外装パネル）
７０ａ  表面
８０  外装パネル（第２の外装パネル）
【発明を実施するための最良の形態】
【００２２】  以下、本発明の実施の形態について、図面を用いて説明する。【００２３】  （第１の実施の形態）
まず、第１の実施の形態に係る電子機器の構成について説明する。【００２４】  図１及び図２に示すように、本実施の形態に係る電子機器としての携帯電話機１０は、本体２０と、本体２０に着脱自在に取り付けられた外装パネル３０と、外装パネル３０を本体２０に固定する４本のネジ５０とを備えている。【００２５】  ここで、本体２０は、軸２０ａを中心に開閉可能に連結された筐体２１及び筐体２２を有している。筐体２１は、本体２０が閉まっている状態での筐体２２側に、利用者による種々の操作を受け付ける図示していない操作釦と、図示していない送話部とが設けられている。また、筐体２２は、本体２０が閉まっている状態での筐体２１側に、種々の情報を表示する図示していないメイン液晶表示部と、図示していない受話部とが設けられており、本体２０が閉まっている状態での筐体２１側とは反対側、即ち、外装パネル３０が取り付けられる側に、種々の情報を表示するサブ液晶表示部２２ａと、ネジ５０と螺合する４つの雌ネジ部２２ｂと、導光板２２ｃと、導光板２２ｃを覆う蓋２２ｄとが設けられている。また、筐体２２は、図３に示すように、導光板２２ｃに光を照射する２つのＬＥＤ（Ｌｉｇｈｔ  Ｅｍｉｔｔｉｎｇ  Ｄｉｏｄｅ）２２ｅと、ＬＥＤ２２ｅが設置されたプリント配線基板２２ｆとが内部に設けられている。なお、導光板２２ｃは、ＬＥＤ２２ｅによって照射された光を導いて筐体２２の外部に発するようになっており、発光部を構成している。そして、導光板２２ｃは、図１及び図２に示すように、外装パネル３０の側面３０ａから外装パネル３０の内部に入射する光を発する位置に配置されている。【００２６】  また、外装パネル３０は、ネジ５０が挿入される４つの貫通孔３１が形成されている。【００２７】  次に、携帯電話機１０の動作について説明する。【００２８】  図４に示すように、着信があったとき等にＬＥＤ２２ｅが導光板２２ｃに光を照射すると、導光板２２ｃに照射された光は、導光板２２ｃによって導かれて導光板２２ｃによって筐体２２の外部に発せられ、外装パネル３０の側面３０ａから外装パネル３０の内部に入射し、外装パネル３０を光らせる。なお、図４において、白抜き矢印は、光の進行方向を示している。【００２９】  ここで、外装パネル３０の表面３０ｂ及び裏面３０ｃが透明である場合、外装パネル３０の側面３０ａから外装パネル３０の内部に入射した光は、外装パネル３０の表面３０ｂ及び裏面３０ｃで反射しながら外装パネル３０の内部を進行し、外装パネル３０の表面３０ｂや側面３０ｄから外装パネル３０の外部に出射する。なお、外装パネル３０の表面３０ｂは、導光板２２ｃに近い部分ほど明るく光る。【００３０】  また、携帯電話機１０は、外装パネル３０の裏面３０ｃの全部が光反射性である場合、外装パネル３０の側面３０ａから外装パネル３０の内部に入射した光が外装パネル３０の裏面３０ｃ側の光反射性の部分によって反射して外装パネル３０の外部に出射するので、外装パネル３０の表面３０ｂ全体をより明るく光らせ視認性を向上することができる。なお、外装パネル３０の裏面３０ｃ側の光反射性の部分は、例えば、外装パネル３０の裏面３０ｃに白印刷やメタリック印刷等の光反射性の高い印刷が施されたり、外装パネル３０の裏面３０ｃにシボ加工によって微細な凹凸が施されたり、外装パネル３０の裏面３０ｃにシボ加工によって微細な凹凸が施された後、更に光反射性の高い印刷が施されたりすることによって構成される。【００３１】  また、携帯電話機１０は、図５に示すように、外装パネル３０の表面３０ｂ側の一部が光遮蔽性である場合、外装パネル３０の内部から外装パネル３０の表面３０ｂを透過して外装パネル３０の外部に出射する光が外装パネル３０の表面３０ｂ側の部分のうち光遮蔽性の部分３０ｅ以外の部分３０ｆのみを透過するので、外装パネル３０の表面３０ｂのうち特定の箇所を光らせ視認性を向上することができる。なお、図５において、白抜き矢印は、光の進行方向を示している。また、外装パネル３０の表面３０ｂ側の部分のうち光遮蔽性の部分３０ｅは、例えば、外装パネル３０の表面３０ｂに光反射性の高い印刷が施されることによって構成される。また、携帯電話機１０は、外装パネル３０の裏面３０ｃの全部が光反射性である場合に、外装パネル３０の表面３０ｂ側の一部が光遮蔽性であっても良い。【００３２】  また、携帯電話機１０は、図５に示すように、外装パネル３０の表面３０ｂ側の光透過性の部分３０ｆの少なくとも一部が有色である場合、外装パネル３０の内部から外装パネル３０の表面３０ｂを透過して外装パネル３０の外部に出射する光の少なくとも一部が外装パネル３０の表面３０ｂ側の有色の光透過性の部分３０ｇを透過するので、外装パネル３０の表面３０ｂのうち少なくとも一部を有色に光らせ視認性を向上することができる。なお、外装パネル３０の表面３０ｂ側の有色の光透過性の部分３０ｇは、例えば、外装パネル３０の表面３０ｂに光透過性の高い有色の印刷が施されることによって構成される。【００３３】  また、携帯電話機１０は、図６に示すように、導光板２２ｃによって発せられて外装パネル３０の側面３０ａから外装パネル３０の内部に入射した光が進む経路上に外装パネル３０に傾斜面３０ｈや傾斜面３０ｉが形成されている場合、外装パネル３０の側面３０ａから外装パネル３０の内部に入射した光が外装パネル３０の傾斜面３０ｈ、３０ｉによって反射して外装パネル３０の外部に出射するので、外装パネル３０のうち傾斜面３０ｈ、３０ｉが形成された部分をより明るく光らせ視認性を向上することができる。なお、図６において、白抜き矢印は、光の進行方向を示している。【００３４】  以上に説明したように、携帯電話機１０は、導光板２２ｃが発する光が外装パネル３０の側面３０ａから外装パネル３０の内部に入射する位置に導光板２２ｃが配置されているので、従来と比較して、光による通知の効果を低下させること無く、本体２０のうち外装パネル３０で覆われる部分において部品の実装面積を拡大することができる。したがって、携帯電話機１０は、本体２０のうち外装パネル３０で覆われる部分に例えばサブ液晶表示部２２ａを配置することができる。【００３５】  また、携帯電話機１０は、本体２０のうち外装パネル３０で覆われる部分に従来のように導光板を備えていないので、外装パネル３０が取り外された状態でも体裁が良い。したがって、携帯電話機１０は、外装パネル３０が取��外された薄い状態で利用者に携帯されることもできる。また、外装パネル３０が取り外された状態では導光板２２ｃのみが光るので、利用者は、例えば、広い面積で光らせたくないとき、外装パネル３０を取り外した状態で使用すれば良い。【００３６】  図１から図６までに示す携帯電話機１０は、外装パネル３０の側面３０ａから外装パネル３０の内部に入射する光を発する位置に導光板２２ｃが配置されているが、図７に示すように、外装パネル３０の側面３０ａから外装パネル３０の内部に入射する光を導光板２２ｃを介さずに直接発する位置にＬＥＤ２２ｅが配置されていても良い。即ち、携帯電話機１０は、外装パネル３０の側面３０ａから外装パネル３０の内部に入射する光を発する位置に配置された発光部としてＬＥＤ２２ｅを備えていても良い。なお、図７において、白抜き矢印は、光の進行方向を示している。【００３７】  また、携帯電話機１０は、外装パネル３０以外の少なくとも１枚以上の外装パネルが外装パネル３０の上層に重ねて取り付けられるようになっていても良い。【００３８】  （第２の実施の形態）
まず、本発明の第２の実施の形態に係る電子機器の構成について説明する。【００３９】  なお、本実施の形態に係る電子機器の構成のうち、第１の実施の形態に係る携帯電話機１０（図１参照。）の構成と同様な構成については、携帯電話機１０の構成と同一の符号を付して説明する。【００４０】  図８に示すように、本実施の形態に係る電子機器としての携帯電話機６０の構成は、筐体２２に着脱自在に取り付けられた第１の外装パネルとしての外装パネル７０と、外装パネル７０の表面７０ａ側に着脱自在に取り付けられた第２の外装パネルとしての外装パネル８０とを外装パネル３０（図１参照。）に代えて携帯電話機１０が備えた構成と同様である。なお、図８において、白抜き矢印は、光の進行方向を示している。【００４１】  ここで、導光板２２ｃは、外装パネル７０の側面７０ｂから外装パネル７０の内部に入射する光を発する位置に配置されている。【００４２】  また、外装パネル７０は、ネジ５０（図１参照。）が挿入される図示していない４つの貫通孔が形成されており、厚みが外装パネル３０の厚みの約半分であり、表面７０ａ全部が光透光性を有し、裏面７０ｃ全部にシボ加工によって微細な凹凸が施された導光部材である。【００４３】  また、外装パネル８０は、ネジ５０が挿入される図示していない４つの貫通孔が形成されており、厚みが外装パネル３０の厚みの約半分である。【００４４】  次に、携帯電話機６０の動作について説明する。【００４５】  着信があったとき等にＬＥＤ２２ｅが導光板２２ｃに光を照射すると、導光板２２ｃに照射された光は、導光板２２ｃによって導かれて導光板２２ｃによって筐体２２の外部に発せられ、外装パネル７０の側面７０ｂから外装パネル７０の内部に入射する。【００４６】  そして、外装パネル７０の内部に入射した光は、外装パネル７０の裏面７０ｃ側の微細な凹凸によって反射して外装パネル７０の表面７０ａから外装パネル７０の外部に出射して、外装パネル８０の裏面８０ａから外装パネル８０の内部に入射し、外装パネル８０を光らせる。【００４７】  以上に説明したように、携帯電話機６０は、外装パネル７０の側面７０ｂから外装パネル７０の内部に入射した光が外装パネル７０によって導かれて外装パネル８０の裏面８０ａから外装パネル８０の内部に入射し外装パネル８０の外部に出射するので、携帯電話機１０のように１枚の外装パネル３０のみを備えた場合と比較して、外装パネル８０の表面８０ｂ全体をより明るく光らせ視認性を向上することができる。【００４８】  また、携帯電話機６０は、導光板２２ｃが発する光が外装パネル７０の側面７０ｂから外装パネル７０の内部に入射する位置に導光板２２ｃが配置されるので、従来と比較して、光による通知の効果を低下させること無く、本体２０のうち外装パネル７０で覆われる部分において部品の実装面積を拡大することができる。【００４９】  なお、携帯電話機６０は、携帯電話機１０と同様に、外装パネル８０の表面８０ｂ側の一部が光遮蔽性であっても良いし、外装パネル８０の表面８０ｂ側の光透過性の部分の少なくとも一部が有色であっても良い。【００５０】  また、携帯電話機６０は、外装パネル７０及び外装パネル８０以外の少なくとも１枚以上の外装パネルが外装パネル８０の上層に更に重ねて取り付けられるようになっていても良い。
【産業上の利用可能性】
【００５１】  以上のように、本発明に係る電子機器は、従来と比較して、光による通知の効果を低下させること無く、本体のうち外装パネルで覆われる部分において部品の実装面積を拡大することができるという効果を有し、携帯電話機等として有用である。
【図１】
2006080419.tif 000002
【図２】
2006080419.tif 000003
【図３】
2006080419.tif 000004
【図４】
2006080419.tif 000005
【図５】
2006080419.tif 000006
【図６】
2006080419.tif 000007
【図７】
2006080419.tif 000008
【図８】
2006080419.tif 000009
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
発光部を有した本体と、前記本体に着脱自在に取り付けられる外装パネルとを備え、
前記発光部は、前記外装パネルの側面から前記外装パネルの内部に入射する光を発する位置に配置されたことを特徴とする電子機器。
【請求項２】
前記外装パネルは、前記発光部によって発せられて側面から内部に入射した光が進む経路上に傾斜面が形成されたことを特徴とする請求項１に記載の電子機器。
【請求項３】
前記外装パネルは、裏面側の少なくとも一部が光反射性であることを特徴とする請求項１に記載の電子機器。
【請求項４】
前記外装パネルは、表面側の一部が光遮蔽性であることを特徴とする請求項１に記載の電子機器。
【請求項５】
前記外装パネルは、表面側の光透過性の部分の少なくとも一部が有色であることを特徴とする請求項１に記載の電子機器。
【請求項６】
発光部を有した本体と、前記本体に着脱自在に取り付けられる第１の外装パネルと、前記第１の外装パネルの表面側に着脱自在に取り付けられる第２の外装パネルとを備え、
前記発光部は、前記第１の外装パネルの側面から前記第１の外装パネルの内部に入射する光を発する位置に配置され、
前記第１の外装パネルは、導光部材であることを特徴とする電子機器。
【手続補正２】
【補正対象書類名】明細書
【補正対象項目名】全文
【補正方法】変更
【補正の内容】
【発明の詳細な説明】
【技術分野】
【０００１】
本発明は、外装パネルを着脱自在な電子機器に関するものである。
【背景技術】
【０００２】
従来の電子機器として、着信があった場合に発光素子が点灯して光学的な着信表示を行う着信表示部を有した表示部本体と、表示部本体に交換可能に組み付けられて着信表示部を覆う化粧パネルとを備え、発光素子から出射された表示光が化粧パネル内に導光されて化粧パネルに形成された表示パターンが光輝する携帯電話機が知られている（例えば、特許文献１参照。）。
【０００３】
また、表面が平面状の面発光部を有した上側筐体と、上側筐体の外側表面に面発光部を被覆するように装着されたパネル部材とを備え、面発光部から出射された光がパネル部材内に導光されてパネル部材のパターンの見え方を変える携帯電話機が知られている（例えば、特許文献２参照。）。
【０００４】
【特許文献１】特開２００２−１２５０１６号公報（第６−７頁、第６−７図）
【特許文献２】特開２００４−８０３９０号公報（第５、９頁、第１−３、１４図）
【発明の開示】
【発明が解決しようとする課題】
【０００５】
しかしながら、前記従来の携帯電話機においては、面発光部により、パネル全体が光るので、着信時等において、利用者への通知を効果的に行える一方で、表示部本体や上側筐体のうち化粧パネルやパネル部材で覆われる部分に着信表示部や面発光部を設けているので、表示部本体や上側筐体のうち化粧パネルやパネル部材で覆われる部分に着信表示部や面発光部以外の部品を実装する面積が小さくなるという問題があった。
【０００６】
本発明は、従来の問題を解決するためになされたもので、着信時等において、利用者への光による通知を効果的に行い、かつ、本体のうち外装パネルで覆われる部分において部品の実装面積を拡大することができる電子機器を提供することを目的とする。
【課題を解決するための手段】
【０００７】
本発明の電子機器は、発光部を有した本体と、前記本体に着脱自在に取り付けられる外装パネルとを備え、前記発光部は、前記外装パネルの側面から前記外装パネルの内部に入射する光を発する位置に配置された構成を有している。
【０００８】
この構成により、本発明の電子機器は、発光部が発する光が外装パネルの側面から外装パネルの内部に入射する位置に発光部が配置されているので、従来と比較して、光による通知の効果を低下させること無く、本体のうち外装パネルで覆われる部分において部品の実装面積を拡大することができる。
【０００９】
また、本発明の電子機器の前記外装パネルは、前記発光部によって発せられて側面から内部に入射した光が進む経路上に傾斜面が形成された構成を有している。
【００１０】
この構成により、本発明の電子機器は、外装パネルの側面から外装パネルの内部に入射した光が外装パネルの傾斜面によって反射して外装パネルの外部に出射するので、外装パネルのうち傾斜面が形成された部分をより明るく光らせることができる。
【００１１】
また、本発明の電子機器の前記外装パネルは、裏面側の少なくとも一部が光反射性である構成を有している。
【００１２】
この構成により、本発明の電子機器は、外装パネルの側面から外装パネルの内部に入射した光が外装パネルの裏面側の光反射性の部分によって反射して外装パネルの外部に出射するので、外装パネルの表面をより明るく光らせることができる。
【００１３】
また、本発明の電子機器の前記外装パネルは、表面側の一部が光遮蔽性である構成を有している。
【００１４】
この構成により、本発明の電子機器は、外装パネルの内部から外装パネルの表面を透過して外装パネルの外部に出射する光が外装パネルの表面側の部分のうち光遮蔽性の部分以外の部分のみを透過するので、外装パネルの表面のうち特定の箇所を光らせることができる。
【００１５】
また、本発明の電子機器の前記外装パネルは、表面側の光透過性の部分の少なくとも一部が有色である構成を有している。
【００１６】
この構成により、本発明の電子機器は、外装パネルの内部から外装パネルの表面を透過して外装パネルの外部に出射する光の少なくとも一部が外装パネルの表面側の有色の光透過性の部分を透過するので、外装パネルの表面のうち少なくとも一部を有色に光らせることができる。
【００１７】
また、本発明の電子機器は、発光部を有した本体と、前記本体に着脱自在に取り付けられる第１の外装パネルと、前記第１の外装パネルの表面側に着脱自在に取り付けられる第２の外装パネルとを備え、前記発光部は、前記第１の外装パネルの側面から前記第１の外装パネルの内部に入射する光を発する位置に配置され、前記第１の外装パネルは、導光部材である構成を有している。
【００１８】
この構成により、本発明の電子機器は、発光部が発する光が第１の外装パネルの側面から第１の外装パネルの内部に入射する位置に発光部が配置されるので、従来と比較して、光による通知の効果を低下させること無く、本体のうち外装パネルで覆われる部分において部品の実装面積を拡大することができる。また、本発明の電子機器は、第１の外装パネルの側面から第１の外装パネルの内部に入射した光が第１の外装パネルによって導かれて第２の外装パネルの裏面から第２の外装パネルの内部に入射し第２の外装パネルの外部に出射するので、１枚の外装パネルのみを備えた場合と比較して、外装パネルの表面をより明るく光らせることができる。
【発明の効果】
【００１９】
本発明は、従来と比較して、光による通知の効果を低下させること無く、本体のうち外装パネルで覆われる部分において部品の実装面積を拡大することができる電子機器を提供することができるものである。
【発明を実施するための最良の形態】
【００２０】
以下、本発明の実施の形態について、図面を用いて説明する。
【００２１】
（第１の実施の形態）
まず、第１の実施の形態に係る電子機器の構成について説明する。
【００２２】
図１及び図２に示すように、本実施の形態に係る電子機器としての携帯電話機１０は、本体２０と、本体２０に着脱自在に取り付けられた外装パネル３０と、外装パネル３０を本体２０に固定する４本のネジ５０とを備えている。
【００２３】
ここで、本体２０は、軸２０ａを中心に開閉可能に連結された筐体２１及び筐体２２を有している。筐体２１は、本体２０が閉まっている状態での筐体２２側に、利用者による種々の操作を受け付ける図示していない操作釦と、図示していない送話部とが設けられている。また、筐体２２は、本体２０が閉まっている状態での筐体２１側に、種々の情報を表示する図示していないメイン液晶表示部と、図示していない受話部とが設けられており、本体２０が閉まっている状態での筐体２１側とは反対側、即ち、外装パネル３０が取り付けられる側に、種々の情報を表示するサブ液晶表示部２２ａと、ネジ５０と螺合する４つの雌ネジ部２２ｂと、導光板２２ｃと、導光板２２ｃを覆う蓋２２ｄとが設けられている。また、筐体２２は、図３に示すように、導光板２２ｃに光を照射する２つのＬＥＤ（Ｌｉｇｈｔ  Ｅｍｉｔｔｉｎｇ  Ｄｉｏｄｅ）２２ｅと、ＬＥＤ２２ｅが設置されたプリント配線基板２２ｆとが内部に設けられている。なお、導光板２２ｃは、ＬＥＤ２２ｅによって照射された光を導いて筐体２２の外部に発するようになっており、発光部を構成している。そして、導光板２２ｃは、図１及び図２に示すように、外装パネル３０の側面３０ａから外装パネル３０の内部に入射する光を発する位置に配置されている。
【００２４】
また、外装パネル３０は、ネジ５０が挿入される４つの貫通孔３１が形成されている。
【００２５】
次に、携帯電話機１０の動作について説明する。
【００２６】
図４に示すように、着信があったとき等にＬＥＤ２２ｅが導光板２２ｃに光を照射すると、導光板２２ｃに照射された光は、導光板２２ｃによって導かれて導光板２２ｃによって筐体２２の外部に発せられ、外装パネル３０の側面３０ａから外装パネル３０の内部に入射し、外装パネル３０を光らせる。なお、図４において、白抜き矢印は、光の進行方向を示している。
【００２７】
ここで、外装パネル３０の表面３０ｂ及び裏面３０ｃが透明である場合、外装パネル３０の側面３０ａから外装パネル３０の内部に入射した光は、外装パネル３０の表面３０ｂ及び裏面３０ｃで反射しながら外装パネル３０の内部を進行し、外装パネル３０の表面３０ｂや側面３０ｄから外装パネル３０の外部に出射する。なお、外装パネル３０の表面３０ｂは、導光板２２ｃに近い部分ほど明るく光る。
【００２８】
また、携帯電話機１０は、外装パネル３０の裏面３０ｃの全部が光反射性である場合、外装パネル３０の側面３０ａから外装パネル３０の内部に入射した光が外装パネル３０の裏面３０ｃ側の光反射性の部分によって反射して外装パネル３０の外部に出射するので、外装パネル３０の表面３０ｂ全体をより明るく光らせ視認性を向上することができる。なお、外装パネル３０の裏面３０ｃ側の光反射性の部分は、例えば、外装パネル３０の裏面３０ｃに白印刷やメタリック印刷等の光反射性の高い印刷が施されたり、外装パネル３０の裏面３０ｃにシボ加工によって微細な凹凸が施されたり、外装パネル３０の裏面３０ｃにシボ加工によって微細な凹凸が施された後、更に光反射性の高い印刷が施されたりすることによって構成される。
【００２９】
また、携帯電話機１０は、図５に示すように、外装パネル３０の表面３０ｂ側の一部が光遮蔽性である場合、外装パネル３０の内部から外装パネル３０の表面３０ｂを透過して外装パネル３０の外部に出射する光が外装パネル３０の表面３０ｂ側の部分のうち光遮蔽性の部分３０ｅ以外の部分３０ｆのみを透過するので、外装パネル３０の表面３０ｂのうち特定の箇所を光らせ視認性を向上することができる。なお、図５において、白抜き矢印は、光の進行方向を示している。また、外装パネル３０の表面３０ｂ側の部分のうち光遮蔽性の部分３０ｅは、例えば、外装パネル３０の表面３０ｂに光反射性の高い印刷が施されることによって構成される。また、携帯電話機１０は、外装パネル３０の裏面３０ｃの全部が光反射性である場合に、外装パネル３０の表面３０ｂ側の一部が光遮蔽性であっても良い。
【００３０】
また、携帯電話機１０は、図５に示すように、外装パネル３０の表面３０ｂ側の光透過性の部分３０ｆの少なくとも一部が有色である場合、外装パネル３０の内部から外装パネル３０の表面３０ｂを透過して外装パネル３０の外部に出射する光の少なくとも一部が外装パネル３０の表面３０ｂ側の有色の光透過性の部分３０ｇを透過するので、外装パネル３０の表面３０ｂのうち少なくとも一部を有色に光らせ視認性を向上することができる。なお、外装パネル３０の表面３０ｂ側の有色の光透過性の部分３０ｇは、例えば、外装パネル３０の表面３０ｂに光透過性の高い有色の印刷が施されることによって構成される。
【００３１】
また、携帯電話機１０は、図６に示すように、導光板２２ｃによって発せられて外装パネル３０の側面３０ａから外装パネル３０の内部に入射した光が進む経路上に外装パネル３０に傾斜面３０ｈや傾斜面３０ｉが形成されている場合、外装パネル３０の側面３０ａから外装パネル３０の内部に入射した光が外装パネル３０の傾斜面３０ｈ、３０ｉによって反射して外装パネル３０の外部に出射するので、外装パネル３０のうち傾斜面３０ｈ、３０ｉが形成された部分をより明るく光らせ視認性を向上することができる。なお、図６において、白抜き矢印は、光の進行方向を示している。
【００３２】
以上に説明したように、携帯電話機１０は、導光板２２ｃが発する光が外装パネル３０の側面３０ａから外装パネル３０の内部に入射する位置に導光板２２ｃが配置されているので、従来と比較して、光による通知の効果を低下させること無く、本体２０のうち外装パネル３０で覆われる部分において部品の実装面積を拡大することができる。したがって、携帯電話機１０は、本体２０のうち外装パネル３０で覆われる部分に例えばサブ液晶表示部２２ａを配置することができる。
【００３３】
また、携帯電話機１０は、本体２０のうち外装パネル３０で覆われる部分に従来のように導光板を備えていないので、外装パネル３０が取り外された状態でも体裁が良い。したがって、携帯電話機１０は、外装パネル３０が取り外された薄い状態で利用者に携帯されることもできる。また、外装パネル３０が取り外された状態では導光板２２ｃのみが光るので、利用者は、例えば、広い面積で光らせたくないとき、外装パネル３０を取り外した状態で使用すれば良い。
【００３４】
図１から図６までに示す携帯電話機１０は、外装パネル３０の側面３０ａから外装パネル３０の内部に入射する光を発する位置に導光板２２ｃが配置されているが、図７に示すように、外装パネル３０の側面３０ａから外装パネル３０の内部に入射する光を導光板２２ｃを介さずに直接発する位置にＬＥＤ２２ｅが配置されていても良い。即ち、携帯電話機１０は、外装パネル３０の側面３０ａから外装パネル３０の内部に入射する光を発する位置に配置された発光部としてＬＥＤ２２ｅを備えていても良い。なお、図７において、白抜き矢印は、光の進行方向を示している。
【００３５】
また、携帯電話機１０は、外装パネル３０以外の少なくとも１枚以上の外装パネルが外装パネル３０の上層に重ねて取り付けられるようになっていても良い。
【００３６】
（第２の実施の形態）
まず、本発明の第２の実施の形態に係る電子機器の構成について説明する。
【００３７】
なお、本実施の形態に係る電子機器の構成のうち、第１の実施の形態に係る携帯電話機１０（図１参照。）の構成と同様な構成については、携帯電話機１０の構成と同一の符号を付して説明する。
【００３８】
図８に示すように、本実施の形態に係る電子機器としての携帯電話機６０の構成は、筐体２２に着脱自在に取り付けられた第１の外装パネルとしての外装パネル７０と、外装パネル７０の表面７０ａ側に着脱自在に取り付けられた第２の外装パネルとしての外装パネル８０とを外装パネル３０（図１参照。）に代えて携帯電話機１０が備えた構成と同様である。なお、図８において、白抜き矢印は、光の進行方向を示している。
【００３９】
ここで、導光板２２ｃは、外装パネル７０の側面７０ｂから外装パネル７０の内部に入射する光を発する位置に配置されている。
【００４０】
また、外装パネル７０は、ネジ５０（図１参照。）が挿入される図示していない４つの貫通孔が形成されており、厚みが外装パネル３０の厚みの約半分であり、表面７０ａ全部が光透光性を有し、裏面７０ｃ全部にシボ加工によって微細な凹凸が施された導光部材である。
【００４１】
また、外装パネル８０は、ネジ５０が挿入される図示していない４つの貫通孔が形成されており、厚みが外装パネル３０の厚みの約半分である。
【００４２】
次に、携帯電話機６０の動作について説明する。
【００４３】
着信があったとき等にＬＥＤ２２ｅが導光板２２ｃに光を照射すると、導光板２２ｃに照射された光は、導光板２２ｃによって導かれて導光板２２ｃによって筐体２２の外部に発せられ、外装パネル７０の側面７０ｂから外装パネル７０の内部に入射する。
【００４４】
そして、外装パネル７０の内部に入射した光は、外装パネル７０の裏面７０ｃ側の微細な凹凸によって反射して外装パネル７０の表面７０ａから外装パネル７０の外部に出射して、外装パネル８０の裏面８０ａから外装パネル８０の内部に入射し、外装パネル８０を光らせる。
【００４５】
以上に説明したように、携帯電話機６０は、外装パネル７０の側面７０ｂから外装パネル７０の内部に入射した光が外装パネル７０によって導かれて外装パネル８０の裏面８０ａから外装パネル８０の内部に入射し外装パネル８０の外部に出射するので、携帯電話機１０のように１枚の外装パネル３０のみを備えた場合と比較して、外装パネル８０の表面８０ｂ全体をより明るく光らせ視認性を向上することができる。
【００４６】
また、携帯電話機６０は、導光板２２ｃが発する光が外装パネル７０の側面７０ｂから外装パネル７０の内部に入射する位置に導光板２２ｃが配置されるので、従来と比較して、光による通知の効果を低下させること無く、本体２０のうち外装パネル７０で覆われる部分において部品の実装面積を拡大することができる。
【００４７】
なお、携帯電話機６０は、携帯電話機１０と同様に、外装パネル８０の表面８０ｂ側の一部が光遮蔽性であっても良いし、外装パネル８０の表面８０ｂ側の光透過性の部分の少なくとも一部が有色であっても良い。
【００４８】
また、携帯電話機６０は、外装パネル７０及び外装パネル８０以外の少なくとも１枚以上の外装パネルが外装パネル８０の上層に更に重ねて取り付けられるようになっていても良い。
【産業上の利用可能性】
【００４９】
以上のように、本発明に係る電子機器は、従来と比較して、光による通知の効果を低下させること無く、本体のうち外装パネルで覆われる部分において部品の実装面積を拡大することができるという効果を有し、携帯電話機等として有用である。
【図面の簡単な説明】
【００５０】
【図１】本発明の第１の実施の形態に係る携帯電話機の展開図
【図２】図１に示す携帯電話機の外観斜視図
【図３】図１に示す携帯電話機の本体の展開図
【図４】図１に示す携帯電話機の一部の側面断面図
【図５】表面に印刷が施された外装パネルを備えた図１に示す携帯電話機の一部の側面断面図
【図６】図４に示す例とは異なる例での図１に示す携帯電話機の一部の側面断面図
【図７】図１に示す例とは異なる例での本発明の第１の実施の形態に係る携帯電話機の一部の側面断面図
【図８】本発明の第２の実施の形態に係る携帯電話機の一部の側面断面図
【符号の説明】
【００５１】
１０  携帯電話機（電子機器）
２０  本体
２２ｃ  導光板（発光部）
２２ｅ  ＬＥＤ（発光部）
３０  外装パネル
３０ａ  側面
３０ｂ  表面
３０ｃ  裏面
３０ｈ、３０ｉ  傾斜面
６０  携帯電話機（電子機器）
７０  外装パネル（第１の外装パネル）
７０ａ  表面
８０  外装パネル（第２の外装パネル）
【手続補正３】
【補正対象書類名】図面
【補正対象項目名】全図
【補正方法】変更
【補正の内容】
【図１】
2006080419.tif 000010
【図２】
2006080419.tif 000011
【図３】
2006080419.tif 000012
【図４】
2006080419.tif 000013
【図５】
2006080419.tif 000014
【図６】
2006080419.tif 000015
【図７】
2006080419.tif 000016
【図８】
2006080419.tif 000017
【国際調査報告】
2006080419.tif 000018
2006080419.tif 000019
2006080419.tif 000020
2006080419.tif 000021